(57)【要約】【課題】消費電流を低減することが可能な電力量計を提供する。【解決手段】需要家にて使用される使用電流を電流検出手段１０３、１０４にて監視し、当該使用電流に応じ、周波数変換部１０７から出力される周波数信号を分周する分周比を分周部１０８に対して指示し、パルス周波数を一定の低い周波数範囲内に収まるようにした。【選択図】  図１
2009002854.tif 000002
【特許請求の範囲】
【請求項１】
被測定系の電力を測定する電力測定手段と、
前記電力測定手段により測定された電力を周波数信号に変換する周波数変換手段と、
前記周波数変換手段により出力された周波数信号を分周する分周手段と、
被測定系の電流を測定する電流測定手段と、
前記電流測定手段により測定された電流の大きさに応じ、前記分周手段の分周比を決定する制御手段と、
前記分周手段により出力された分周信号を表示する第一の表示手段と
を具備したことを特徴とする電力量計。
【請求項２】
前記分周手段により出力された分周信号の分周比を表示する第二の表示手段を具備したことを特徴とする請求項１記載の電力量計。
【請求項３】
前記第一の表示手段は複数の表示部からなり、前記分周手段により出力された分周信号を、分周比ごとに前記複数の表示部に表示することを特徴とする請求項１記載の電力量計。
【請求項４】
前記第一の表示手段は液晶表示装置であることを特徴とする請求項１乃至３のいずれか１項記載の電力量計。
【請求項５】
被測定系の電力を測定する電力測定手段と、
前記電力測定手段により測定された電力を周波数信号に変換する周波数変換手段と、
前記周波数変換手段により出力された周波数信号を分周する分周手段と、
前記周波数変換手段により出力された周波数信号の周波数を測定する周波数測定手段と、前記周波数測定手段により測定された周波数の大きさに応じ、前記分周手段の分周比を決定する制御手段と、
前記分周手段により出力された分周信号を表示する第三の表示手段と
を具備したことを特徴とする電力量計。
【請求項６】
前記分周手段により出力された分周信号の分周比を表示する第四の表示手段を具備したことを特徴とする請求項５記載の電力量計。
【請求項７】
前記第三の表示手段は複数の表示部からなり、前記分周手段により出力された分周信号を、分周比ごとに前記複数の表示部に表示することを特徴とする請求項５記載の電力量計。
【請求項８】
前記第三の表示手段は液晶表示装置であることを特徴とする請求項５乃至７のいずれか１項記載の電力量計。
【発明の詳細な説明】
【技術分野】
【０００１】
本発明は被測定系の使用電力量等を測定する電力量計に関する。
【背景技術】
【０００２】
従来より、一般家庭や工場、事業所の使用電力量を測定する電力量計が普及してきてい
る。当該電力量計は被測定系の使用電力量を測定する使用量検出手段と、使用量検出手段
で検出した使用量をデータに編集する制御部と、制御部にて編集されたデータを表示する表示部とを具備している。（例えば特許文献１）
【特許文献１】特開２００４−２２６０９４公報（第１０頁、図２）
【発明の開示】
【発明が解決しようとする課題】
【０００３】
各需要家における使用電力量を測定する電力量計は各戸に取り付けられ、その普及台数は全国で７０００万台程度であると言われている。近年各需要家における電力の使用量は増大する傾向にあり、電力供給が逼迫しており、いわゆる「省エネルギー」「地球温暖化防止」を実現することは国家レベルで責務となってきている。
【０００４】
需要家の使用電力量を測定する電力量計も、その動作に電力を消費する。各電力量計一台あたりの消費電力は、大掛かりな家電装置に比較すれば微小であるようにも思える。しかし、全国大で取り付けられている電力量計の台数を考慮すると、各電力量計の消費電力を軽減することができれば「省エネルギー」「地球温暖化防止」に寄与することができるといえる。
【０００５】
従来の電力量計は、計量部にて演算された使用電力量に正比例したパルスが、そのまま表示部に表示されるため、電力量計全体としての消費電力が低減されていなかった。
【０００６】
本発明は前記問題点に鑑み、消費電力を低減することが可能な電力量計を提供することを目的とする。
【課題を解決するための手段】
【０００７】
上記目的を達成するために、本発明による電力量計は、被測定系の電力を測定する電力測定手段と、前記電力測定手段により測定された電力を周波数信号に変換する周波数変換手段と、前記周波数変換手段により出力された周波数信号を分周する分周手段と、被測定系の電流を測定する電流測定手段と、前記電流測定手段により測定された電流の大きさに応じ、前記分周手段の分周比を決定する制御手段と、前記分周手段により出力された分周信号を表示する表示手段とを具備したことを特徴とする。
【発明の効果】
【０００８】
本発明によれば、消費電力を低減することが可能な電力量計を提供することができる。
【発明を実施するための最良の形態】
【０００９】
以下、本発明の実施例を説明する。
【実施例１】
【００１０】
本発明による電力量計の実施例１を図１を参照して説明する。図１は本発明による電力量計の実施例１を示す内部構成図である。
【００１１】
図１において、１００は電力量計本体である。
【００１２】
１０１は端子部で、真鋳や銅等の導電性のある金属からなる導電部分が、フェノール樹脂やＰＢＴ樹脂等、絶縁性の高いプラスチック等の材質からなる固定部分に配置された構成からなり、外部の配電線を電子式電力量計本体１００に接続する。１Ｓ、２Ｓ、３Ｓ各端子は電力供給会社から電力を受電する電源側配電線に、１Ｌ、２Ｌ、３Ｌ各端子は需要家内へ
電力を供給する負荷側配電線に接続される。なお、本実施例では単相３線式の電子式電力
量計としている。
【００１３】
１０２は電力測定部で、需要家にて消費される電力を測定し出力する。その内部は以下の構成からなる。
【００１４】
１０３、１０４は電流検出部で、電流トランスとアナログ−デジタル変換器を組合せた回路等により構成されており、電流検出部１０３は端子部１０１の端子１Ｓ−１Ｌ間の電流（１側電流）を、電流検出部１０４は端子３Ｓ−３Ｌ間の電流(３側電流)を、それぞれ検出し需要家の使用電流に正比例したデジタルデータに変換し出力する。
【００１５】
１０５は電圧検出部で、電圧トランスとアナログ−デジタル変換器を組合せた回路等により構成されており、端子１Ｓ−２Ｓ間ならびに端子３Ｓ−２Ｓ間の電圧（それぞれ１側電圧、３側電圧と呼ぶ）を検出し、使用電圧に正比例したデジタルデータに変換し出力する
。
【００１６】
１０６は電力乗算部で、デジタル乗算回路等により構成されており、電流検出部１０３により出力された１側電流に正比例したデジタルデータ信号と電圧検出部１０５により出力された１側電圧に正比例したデジタルデータ、電流検出部１０４により出力された３側電流に正比例したデジタルデータと電圧検出部１０５により出力された３側電圧に正比例したデジタルデータを乗算し、需要家の使用電力に正比例したデジタルデータに変換し出力する。
【００１７】
１０７は周波数変換部で、カウンタ回路等により構成されており、電力乗算部１０６により出力された需要家の使用電力に正比例したデジタルデータを周波数信号に変換し出力する。なお当該周波数変換部１０７は後述する制御部１１０内に構成されていてもよい。
【００１８】
１０８は分周部で、分周比をプリセットすることが可能なカウンタ回路等により構成されており、周波数変換部１０７により出力された周波数信号を分周し、低減された周波数を持つ周波数信号に変換し出力する。その分周比は後述する制御部１１０により指示される。なお当該周波数変換部１０７は後述する制御部１１０内に構成されていてもよい。
【００１９】
１０９は表示部で液晶表示器等により構成されており、需要家の使用電力量を数値にて表示する数値表示部と、需要家の使用電力をパルス状の点滅表示にて表示するパルス表示部とからなる。
【００２０】
１１０は制御部でマイクロコンピュータ等により構成されており、電力乗算部１０６のから出力される需要家の使用電力に正比例したデジタルデータを編集し使用電力量として表示部１０９へ表示させる。また、制御部１１０は電流検出部１０３、１０４から需要家の使用電流に正比例したデジタルデータを受信する。また、制御部１１０は分周比を判断し、分周部１０８に対し分周比を指示する。
【００２１】
次に、本実施例の動作を説明する。従来より電力量計の表示部は、需要家の使用電力量を数値にて表示する数値表示部と、需要家の使用電力に正比例した周波数を持つパルス状の点滅表示にて表示するパルス表示部により構成されていた。当該パルス表示部は、需要家等の肉眼にて確認されることを目的とするものではなく、電力量計が使用電力に応じ正確に動作しているかの確認のため、専用の外部装置により読み取られることを目的としており、使用電力に正比例した周波数をパルス状の点滅表示にて出力するものであった。当該パルス状の点滅表示の周波数は、需要家の使用電力により異なり、最大で１０００Ｈｚ程度の高い周波数、最小で数Ｈｚ程度の低い周波数となっていた。このため、最大でも２０Ｈｚ程度の表示にしか対応できない低消費電力化が期待できる液晶表示器は使用できず、発光ダイオード等が使用されており、消費電力が高いものとなっていた。本実施例を用いれば低周波数にて需要家の使用電力に対応したパルス状の点滅表示を行うことができ、液晶表示器を使用することができるため、電力量計の消費電力を低減することが可能となる。また、発光ダイオード等の消費電力の大きい表示装置を使用した場合でも、パルス周波数を低くすることができるため、電力量計の消費電力を低減することが可能となる。
【００２２】
次に、本実施例の動作を図２のプログラムフロー図を参照しつつ説明する。本プログラムは制御部１１０内の図示しないプログラムメモリ内に記憶され、制御部１１０の動作を制御している。
【００２３】
制御部１１０は常時、電力乗算部１０６から出力される需要家の使用電力に正比例したデジタルデータを編集し使用電力量を表示部１０９の数値表示部へ表示させている。当該プログラムフロー図は表示部１０９のパルス表示部の表示動作にかかる部分についてのみ示されている。なお、本実施例は普及率の高い単相３線式１００Ｖ３０Ａ定格の電力量計について示す。
【００２４】
制御部１１０は、電流検出部１０３、１０４から１Ｓ−１Ｌ間の電流（１側電流）並びに３Ｓ−３Ｌ間の電流（３側電流）に正比例したデジタルデータを受信し、両者を加算し需要家の使用電流Ａ１を算出する（ステップ２０１）。単相３線式１００Ｖ３０Ａ定格の電力量計では、１側電流、３側電流とも最大値は３０Ａであるので、使用電流Ａ１の最大値は６０Ａとなる。需要家の使用電流Ａ１が６０Ａであり、電圧１００Ｖ、力率１．０の場合、周波数変換部１０７は、たとえば１０００Ｈｚを出力しているものとする。
【００２５】
次に制御部１１０は、ステップ２０１で算出された需要家の消費電流Ａ１が、６０Ａ以下６Ａ以上であるかの判断を行う（ステップ２０２）。６０Ａとは当該需要家の最大使用電流である。６Ａとは当該需要家の最大使用電流である６０Ａの１／１０である。
【００２６】
需要家の消費電流Ａ１が６０Ａ以下６Ａ以上であると判断された場合、制御部１１０は分周部１０８に対し周波数変換部１０７の出力パルス周波数を１／１０００に分周するよう指示しパルス状の点滅表示を表示部１０９のパルス表示部に表示させる（ステップ２０３）。
【００２７】
また分周比が１／１０００であり、最大電流が６０Ａであることを示すよう表示部１０９のパルス表示部に表示させる（ステップ２０４）。
【００２８】
表示部１０９は具体的には図３に示すような構成となっている。表示部１０９は需要家の消費電力量を示す数値表示部３００と、使用電力に対応した周波数でパルス状の点滅表示を行うパルス表示部３０１からなり、さらにパルス表示部３０１は表示部３０２、３０３、３０４，３０５、３０６から構成されている。表示部３０２、３０３、３０４，３０５、３０６は液晶表示器等により構成されたドット表示等であり、パルス表示部３０１の表示部３０２はステップ２０３の動作により、周波数変換部１０７からの信号の１／１０００の周波数を持つパルス状の点滅表示を行う。また、１／１０００に分周され、最大電流が６０Ａであることを示すパルス表示部３０１の表示部３０３が、ステップ２０４の動作により点灯させられる。この動作によりパルス表示部３０１の表示部３０２のパルス状の点滅表示の点滅周波数を１Ｈｚ以下とすることができる。
【００２９】
次に制御部１１０は、ステップ２０１で算出された需要家の消費電流Ａ１が、６Ａ未満０．６Ａ以上であるかの判断を行う（ステップ２０５）。６Ａとは当該需要家の最大使用電流である６０Ａの１／１０である。０．６Ａとは当該需要家の最大使用電流である６０Ａの１／１００である。
【００３０】
需要家の消費電流Ａ１が６Ａ未満０．６Ａ以上であると判断された場合、制御部１１０は分周部１０８に対し周波数変換部１０７の出力パルス周波数を１／１００に分周するよう指示し、当該分周された周波数を持つパルス状の点滅表示をパルス表示部３０１に表示させる（ステップ２０６）。
【００３１】
また分周比が１／１００であり、最大電流が６Ａであることを示すようパルス表示部３０１に表示させる（ステップ２０７）。
【００３２】
パルス表示部３０１の表示部３０２は、ステップ２０６の動作により周波数変換部１０７からの信号の１／１００の周波数を持つパルス状の点滅表示を行う。また、１／１００に分周され、最大電流が６Ａであることを示すパルス表示部３０１の表示部３０４が、ステップ２０７の動作により点灯させられる。この動作によりパルス表示部３０１の表示部３０２のパルス状の点滅表示の点滅周波数を１Ｈｚ以下とすることができる。
【００３３】
次に制御部１１０は、ステップ２０１で算出された需要家の消費電流Ａ１が、０．６Ａ未満０．０６Ａ以上であるかの判断を行う（ステップ２０８）。０．６Ａとは当該需要家の最大使用電流である６０Ａの１／１００である。０．０６Ａとは当該需要家の最大使用電流である６０Ａの１／１０００である。
【００３４】
需要家の消費電流Ａ１が０．６Ａ未満０．０６Ａ以上であると判断された場合、制御部１１０は分周部１０８に対し周波数変換部１０７の出力パルス周波数を１／１０に分周するよう指示し、当該分周された周波数を持つパルス状の点滅表示をパルス表示部３０１に表示させる（ステップ２０９）。
【００３５】
また、分周比が１／１０であり、最大電流が０．６Ａであることを示すようパルス表示部３０１に表示させる（ステップ２１０）。
【００３６】
パルス表示部３０１の表示部３０２は、ステップ２０９の動作により周波数変換部１０７からの信号の１／１０の周波数を持つパルス状の点滅表示を行う。また１／１０に分周され、最大電流が０．６Ａであることを示すパルス表示部３０１の表示部３０５がステップ２１０の動作により点灯させられる。この動作によりパルス表示部３０１の表示部３０２のパルス状の点滅表示の点滅周波数を１Ｈｚ以下とすることができる。
【００３７】
次に制御部１１０は、ステップ２０１で算出された需要家の消費電流Ａ１が、０．０６Ａ未満であるかの判断を行う（ステップ２１１）。０．０６Ａとは当該需要家の最大使用電流である６０Ａの１／１０００である。
【００３８】
需要家の消費電流Ａ１が０．０６Ａ未満であると判断された場合、制御部１１０は分周部１０８に対し周波数変換部１０７の出力パルス周波数を１／１に分周するよう指示し、当該分周された周波数を持つパルス状の点滅表示をパルス表示部３０１に表示させる（ステップ２１２）。
【００３９】
また分周比が１／１であり、最大電流が０．０６Ａであることを示すようパルス表示部３０１に表示させる（ステップ２１３）。
【００４０】
パルス表示部３０１の表示部３０２は、ステップ２１２の動作により周波数変換部１０７からの信号の１／１の周波数を持つパルス状の点滅表示を行う。また、１／１に分周され、最大電流が０．０６Ａであることを示すパルス表示部３０１の表示部３０６が、ステップ２１３の動作により点灯させられる。この動作によりパルス表示部３０１の表示部３０２のパルス状の点滅表示の点滅周波数を１Ｈｚ以下とすることができる。
【００４１】
ステップ２０１で算出された需要家の消費電流Ａ１が、ステップ２０２、２０５、２０８、２１１の各範囲内にないと判断された場合、制御部１１０は測定可能範囲外であると判断し、点滅表示を行わないようパルス表示部３０１を制御する。
【００４２】
前記実施例では図３に示されるように、パルス状の点滅表示が表示部３０２に、最大電流が表示部３０３、３０４、３０５、３０６に表示されるようにしたが、図４に示されるように１／１０００に分周されたパルス状の点滅表示が表示部４０２に、１／１００に分周されたパルス状の点滅表示が表示部４０３に、１／１０に分周されたパルス状の点滅表示が表示部４０４に、１／１に分周されたパルス状の点滅表示が表示部４０５に、表示されるようにしてもよい。
【００４３】
本実施例を用いれば、低周波数にて需要家の使用電力に対応した周波数で点滅するパルス状の点滅表示を行うことができ、電力量計の消費電力を低減することが可能となる。パルス状の点滅表示の表示周波数が液晶表示器の動作速度範囲内であるため低消費電力で動作する液晶表示器を使用することができ電力量計全体として低消費電力化することができる。また、表示装置に発光ダイオード等を使用した場合でも、パルス状の点滅表示の表示周波数が低いため、発光時間を短くするようなデューティーとすれば、電力量計全体として低消費電力化することができる。
【００４４】
また、本実施例を用いれば、電力量計を低消費電力化することができるため、電力量計の電源回路を小型化することが可能であるとともに、電源回路を安価にすることが可能であり、電力量計全体として低コスト化することができる。
【００４５】
以上のように本発明を用いれば、消費電力を低減することが可能な電力量計を提供することができる。
【実施例２】
【００４６】
本発明による電力量計の実施例２について説明する。この実施例２のハードウェアは、図１に示す実施例１の電力量計の各部と同一構成である。
【００４７】
この実施例２が、実施例１と相違する点は、実施例１では制御部１１０が需要家の使用電流を測定し、当該需要家の使用電流に応じ周波数変換部１０７から出力される周波数信号の分周比を分周部１０８に対して指示しているのに対し、実施例２ではこれに代わり、制御部１１０が周波数変換部１０７から出力される周波数信号の周波数を検出し、当該周波数に応じ周波数変換部１０７から出力される周波数信号の分周比を分周部１０８に対して指示している点である。したがって、実施例１と実施例２では制御部１１０内の図示しないプログラムメモリ内に記憶されているソフトウェアの構成が相違する。
【００４８】
次に、本実施例の動作を図５のプログラムフロー図を参照しつつ説明する。本プログラムは制御部１１０内の図示しないプログラムメモリ内に記憶され、制御部１１０の動作を制御している。
【００４９】
制御部１１０は常時、電力乗算部１０６から出力される需要家の使用電力に正比例したデジタルデータを編集し使用電力量を表示部１０９の数値表示部に表示させている。当該プログラムフロー図は表示部１０９のパルス表示部の表示動作にかかる部分についてのみ示されている。なお、本実施例は普及率の高い単相３線式１００Ｖ３０Ａ定格の電力量計について示す。
【００５０】
制御部１１０は、周波数変換部１０７から出力される電力測定部１０２から出力されたデータに正比例した周波数信号の周波数ｆ１を測定する（ステップ５０１）。当該周波数ｆ１は単相３線式１００Ｖ３０Ａ定格の電力量計を定格で使用した場合、たとえば１０００Ｈｚ等となる。
【００５１】
次に制御部１１０は、ステップ５０１で測定された周波数ｆ１が、１０００Ｈｚ以下１００Ｈｚ以上であるかの判断を行う（ステップ５０２）。１０００Ｈｚとは需要家の最大使用電力に対応する周波数変換部１０７の出力周波数である。１００Ｈｚとは需要家の最大使用電力時の１／１０の周波数である。
【００５２】
周波数ｆ１が１０００Ｈｚ以下１００Ｈｚ以上であると判断された場合、制御部１１０は分周部１０８に対し周波数変換部１０７の出力パルス周波数を１／１０００に分周するよう指示し、当該分周された周波数を持つパルス状の点滅表示を表示部１０９のパルス表示部に表示させる（ステップ５０３）。
【００５３】
また分周比が１／１０００であることを示すよう表示部１０９のパルス表示部に表示させる（ステップ５０４）。
【００５４】
表示部１０９は具体的には図６に示すような構成となっている。表示部１０９は需要家の消費電力量を示す数値表示部６００と使用電力に対応した周波数でパルス状の点滅表示を行うパルス表示部６０１からなり、さらにパルス表示部６０１は表示部６０２、６０３、６０４，６０５、６０６から構成されている。表示部６０２、６０３、６０４，６０５、６０６は液晶表示器等により構成されたドット表示等であり、表示部６０２は、ステップ５０３の動作により、周波数変換部１０７からの信号の１／１０００の周波数を持つパルス状の点滅表示を行う。また１／１０００に分周されたことを示すパルス表示部６０１の表示部６０３が、ステップ５０４の動作により点灯させられる。この動作によりパルス表示部６０１の表示部６０２のパルス状の点滅表示の点滅周波数を１Ｈｚ以下とすることができる。
【００５５】
次に制御部１１０は、ステップ５０１で測定された周波数ｆ１が、１００Ｈｚ未満１０Ｈｚ以上であるかの判断を行う（ステップ５０５）。１００Ｈｚとは需要家の最大使用電力時の１／１０の周波数である。１０Ｈｚとは需要家の最大使用電力時の１／１００の周波数である。
【００５６】
周波数ｆ１が１００Ｈｚ未満１０Ｈｚ以上であると判断された場合、制御部１１０は分周部１０８に対し周波数変換部１０７の出力パルス周波数を１／１００に分周するよう指示し、当該分周された周波数を持つパルス状の点滅表示をパルス表示部６０１に表示させる（ステップ５０６）。
【００５７】
また分周比が１／１００であることを示すようパルス表示部６０１に表示させる（ステップ５０７）。
【００５８】
パルス表示部６０１の表示部６０２は、ステップ５０６の動作により周波数変換部１０７からの信号の１／１００の周波数を持つパルス状の点滅表示を行う。また、１／１００に分周されたことを示すパルス表示部６０１の表示部６０４がステップ５０７の動作により点灯させられる。この動作によりパルス表示部６０１の表示部６０２のパルス状の点滅表示の点滅周波数を１Ｈｚ以下とすることができる。
【００５９】
次に制御部１１０は、ステップ５０１で測定された周波数ｆ１が、１０Ｈｚ未満１Ｈｚ以上であるかの判断を行う（ステップ５０８）。１０Ｈｚとは需要家の最大使用電力時の１／１００周波数である。１Ｈｚとは需要家の最大使用電力時の１／１０００の周波数である。
【００６０】
周波数ｆ１が１０Ｈｚ未満１Ｈｚ以上であると判断された場合、制御部１１０は分周部１０８に対し周波数変換部１０７の出力パルス周波数を１／１０に分周するよう指示し、当該分周された周波数を持つパルス状の点滅表示をパルス表示部６０１に表示させる（ステップ５０９）。
【００６１】
また分周比が１／１０であることを示すようパルス表示部６０１の表示部６０５に表示させる（ステップ５１０）。
【００６２】
パルス表示部６０１の表示部６０２は、ステップ５０９の動作により周波数変換部１０７からの信号の１／１０の周波数を持つパルス状の点滅表示を行う。また、１／１０に分周されたことを示すパルス表示部６０１の表示部６０５がステップ５１０の動作により点灯させられる。この動作によりパルス表示部６０１の表示部６０２のパルス状の点滅表示の点滅周波数を１Ｈｚ以下とすることができる。
【００６３】
次に制御部１１０は、ステップ５０１で測定された周波数ｆ１が、１Ｈｚ未満であるかの判断を行う（ステップ５１１）。１Ｈｚとは需要家の最大使用電力時の１／１０００の周波数である。
【００６４】
周波数ｆ１が１Ｈｚ未満であると判断された場合、制御部１１０は分周部１０８に対し周波数変換部１０７の出力パルス周波数を１／１に分周するよう指示し、当該分周された周波数を持つパルス状の点滅表示をパルス表示部６０１に表示させる（ステップ５１２）。
【００６５】
また分周比が１／１であることを示すようパルス表示部６０１に表示させる（ステップ５１３）。
【００６６】
パルス表示部６０１の表示部６０２はステップ５１２の動作により周波数変換部１０７からの信号の１／１の周波数を持つパルス状の点滅表示を行う。また、１／１に分周されたことを示すパルス表示部６０１の表示部６０６がステップ５１３の動作により点灯させられる。この動作によりパルス表示部６０１の表示部６０２のパルス状の点滅表示の点滅周波数を１Ｈｚ以下とすることができる。
【００６７】
ステップ５０１で測定された周波数ｆ１が、ステップ５０２、５０５、５０８、５１１の各範囲内にないと判断された場合、制御部１１０は測定可能範囲外であると判断し、点滅表示を行わないようパルス表示部６０１を制御する。
【００６８】
前記実施例では図６に示されたように、パルス状の点滅表示が表示部６０２に、分周比が表示部６０３、６０４、６０５、６０６に表示されるようにしたが、図７に示されたように１／１０００に分周されたパルス状の点滅表示が表示部７０２に、１／１００に分周されたパルス状の点滅表示が表示部７０３に、１／１０に分周されたパルス状の点滅表示が表示部７０４に、１／１に分周されたパルス状の点滅表示が表示部７０５に、表示されるようにしてもよい。
【００６９】
本実施例を用いれば、低周波数にて需要家の使用電力に対応した周波数で点滅するパルス状の点滅表示を行うことができ、電力量計の消費電力を低減することが可能となる。パルス状の点滅表示の表示周波数が液晶表示器の動作速度範囲内であるため低消費電力で動作する液晶表示器を使用することができ電力量計全体として低消費電力化することができる。また、パルス状の点滅表示の表示装置に発光ダイオード等を使用した場合でも、パルス状の点滅表示の表示周波数が低いため、発光時間を短くするようなデューティーとすれば、電力量計全体として低消費電力化することができる。
【００７０】
また、本実施例を用いれば、電力量計を低消費電力化することができるため、電力量計の電源回路を小型化することが可能であるとともに、電源回路を安価にすることが可能であり、電力量計全体として低コスト化することができる。
【００７１】
以上のように本発明を用いれば、消費電力を低減することが可能な電力量計を提供することができる。
【図面の簡単な説明】
【００７２】
【図１】本発明による電力量計の実施例１の構成を示す内部構成図
【図２】本発明による実施例１のプログラムを示すプログラムフロー図
【図３】本発明による電力量計の実施例１の表示部の構成を示す図
【図４】本発明による電力量計の実施例１の表示部の構成を示す図
【図５】本発明による実施例２のプログラムを示すプログラムフロー図
【図６】本発明による電力量計の実施例２の表示部の構成を示す図
【図７】本発明による電力量計の実施例２の表示部の構成を示す図
【符号の説明】
【００７３】
１００    電力量計本体
１０１    端子部
１０２    電力測定部
１０３    電流検出部
１０４    電流検出部
１０５    電圧検出部
１０６    電力乗算部
１０７    周波数変換部
１０８    分周部
１０９    表示部
１１０    制御部
３００    数値表示部
３０１    パルス表示部
３０２、３０３、３０４、３０５、３０６    表示部
４００    数値表示部
４０１    パルス表示部
４０２、４０３、４０４、４０５    表示部
６００    数値表示部
６０１    パルス表示部
６０２、６０３、６０４、６０５、６０６    表示部
７００    数値表示部
７０１    パルス表示部
７０２、７０３、７０４、７０５    表示部
【図１】
2009002854.tif 000003
【図２】
2009002854.tif 000004
【図３】
2009002854.tif 000005
【図４】
2009002854.tif 000006
【図５】
2009002854.tif 000007
【図６】
2009002854.tif 000008
【図７】
2009002854.tif 000009